(57)【特許請求の範囲】
【請求項１】
手術台（１０）のための手術台基部（１６）であって、
少なくとも２つの引き出し可能である輸送ローラ（３２ａ、３４ａ）を備え、
前記手術台（１０）は、前記輸送ローラ（３２ａ、３４ａ）が引っ込められた状態で前記輸送ローラ（３２ａ、３４ａ）により移動不能であり、
前記手術台（１０）は、前記輸送ローラ（３２ａ、３４ａ）が引き出された状態で前記輸送ローラ（３２ａ、３４ａ）により移動可能であり、
第１の輸送ローラ（３２ａ）の状態を引っ込められた状態から引き出された状態に少なくとも変更可能である第１の機械的調整ユニット（４０）が提供され、
第２の輸送ローラ（３４ａ）の状態を引っ込められた状態から引き出された状態に少なくとも変更可能である第２の機械的調整ユニット（４２）が提供され、
前記第１の調整ユニット（４０）と前記第２の調整ユニット（４２）は、機械的接続エレメント（２４）を介して前記第１及び第２の調整ユニット（４０、４２）に接続された第１の駆動ユニット（８０）によって駆動可能であり、
前記機械的接続エレメントは、チェーン（２４）又はベルトであり、前記第１及び第２の調整ユニット（４０、４２）は、前記チェーン（２４）又は前記ベルトを介して前記第１の調整ユニット（４０）に接続される
ことを特徴とする手術台基部（１６）。
【請求項２】
前記輸送ローラ（３２ａ、３４ａ）が引き出された状態では、力が前記手術台（１０）の重さによって前記機械的接続エレメント（２４）に及ぼされない
請求項１に記載の手術台基部（１６）。
【請求項３】
前記チェーン（２４）又は前記ベルトは、前記第１の駆動ユニット（８０）と共に閉じられた駆動列を形成する
請求項１又は２に記載の手術台基部（１６）。
【請求項４】
前記第１の駆動ユニット（８０）は、ギヤ段（８２）を介してスクリュー式ギヤ又はウォームギヤのねじ切りされたナット（９０）を駆動する電動機（８１）を備え、
前記ねじ切りされたナット（９０）の雌ねじは、前記スクリュー式ギヤ又は前記ウォームギヤのねじ切りされたロッド（１２０）の雄ねじと連結され、
前記ねじ切りされたナット（９０）は、前記ねじ切りされたロッド（１２０）の縦軸の方向に静止して取り付けられ、前記ねじ切りされたロッド（１２０）の縦軸に関して回転可能に取り付けられ、
前記ねじ切りされたロッド（１２０）の第１の端は、前記チェーン（２４）又は前記ベルトの第１の端に接続され、
前記ねじ切りされたロッド（１２０）の第２の端は、前記チェーン（２４）又は前記ベルトの第２の端に接続され、
前記第１の駆動ユニット（８０）は、第１のピストンロッドと第２のピストンロッドとを有する同期シリンダを備え、
前記第１のピストンロッドの自由端は、前記チェーン（２４）又は前記ベルトの第１の端に接続され、
前記第２のピストンロッドの自由端は、前記チェーン（２４）又は前記ベルトの第２の端に接続される
請求項１から３の何れか一項に記載の手術台基部（１６）。
【請求項５】
前記機械的接続エレメント（２４）は、前記第１の調整ユニット（４０）の第１の歯車又は歯車部分（１０８）と前記第２の調整ユニット（４２）の第２の歯車又は歯車部分とに連結され、
前記機械的接続エレメント（２４）が前記歯車又は歯車部分（１０８）に係合されるときに、前記歯車又は歯車部分（１０８）の回転が生じ、
前記歯車又は歯車部分（１０８）の回転によって、前記輸送ローラ（３２ａ、３４ａ）を、引っ込められた状態から引き出された状態に、及び引き出された状態から引っ込められた状態にもたらすことができる
請求項１から４の何れか一項に記載の手術台基部（１６）。
【請求項６】
前記第１の調整ユニット（４０）は、床面に対して垂直である第１の縦軸を有する第１のジャーナル（１１６）を有し、
前記第１の調整ユニット（４０）は、第１のジャーナルガイド（５６）を有し、前記第１のジャーナルガイド（５６）は、前記第１の縦軸の方向に沿った前記第１のジャーナルガイド（５６）と前記第１のジャーナル（１１６）との間の相対運動をガイドし、
前記第１の調整ユニット（４０）は、少なくとも、第１の斜面（１１０）を有する第１の調整エレメント（４８）を有し、前記第１の斜面（１１０）に沿って前記第１のジャーナルガイド（５６）の第１の連結エレメント（１１２）の相対運動が伝達され、前記第１の調整エレメント（４８）の直進調整運動が生じるように、前記第１の連結エレメント（１１２）が連結され、
前記第２の調整ユニット（４２）は、床面に対して垂直である第２の縦軸を有する第２のジャーナルを有し、
前記第２の調整ユニット（４２）は、第２のジャーナルガイド（５８）を有し、前記第２のジャーナルガイド（５８）は、前記第２の縦軸の方向に沿った前記第２のジャーナルガイド（５８）と前記第２のジャーナルとの間の相対運動をガイドし、
前記第２の調整ユニット（４２）は、少なくとも、第２の斜面を有する第２の調整エレメント（５０）を有し、前記第２の斜面に沿って前記第２のジャーナルガイド（５８）の第２の連結エレメントの相対運動が伝達され、前記第２の調整エレメント（５０）の直進調整運動が生じるように、第２の連結エレメントが連結される
請求項１から５の何れか一項に記載の手術台基部（１６）。
【請求項７】
前記第１の調整エレメント（４８）と前記第２の調整エレメント（５０）の前記斜面（１１０）のそれぞれは、０°よりも大きい傾斜を有し、
前記第１の調整エレメント（４８）と前記第２の調整エレメント（５０）の前記斜面（１１０）のそれぞれは、０°の傾斜を有する水準面（１１０ｂ）に続く
請求項６に記載の手術台基部（１６）。
【請求項８】
前記第１のジャーナル（１１６）の上端は、前記手術台基部（１６）のシャーシ（２２）に前記第１のジャーナル（１１６）がしっかりと接続される接続領域を有し、
前記第２のジャーナルの上端は、前記手術台基部（１６）の前記シャーシ（２２）に前記第２のジャーナルがしっかりと接続される接続領域を有し、
前記第１の調整ユニット（４０）の前記第１の調整エレメント（４８）は、前記第１の縦軸に関して回転可能に取り付けられ、
前記第２の調整ユニット（４２）の前記第２の調整エレメント（５０）は、前記第２の縦軸に関して回転可能に取り付けられ、
前記第１の調整エレメント（４８）と前記第２の調整エレメント（５０）は、前記機械的接続エレメント（２４）を介して前記駆動ユニット（８０）に接続され、
前記駆動ユニット（８０）によって駆動されたときに、前記ジャーナル（１１６）のそれぞれの前記縦軸に関して回転され、
前記第１の輸送ローラ（３２ａ）の状態が変更されるときに、前記第１の斜面（１１０）が前記第１の連結エレメント（１１２）に留まり、
前記第２の輸送ローラ（３４ａ）の状態が変更されるときに、前記第２の斜面が前記第２の連結エレメントに留まり、
前記第１の連結エレメント（１１２）は、前記第１の斜面（１１０）に沿って滑動するか、又は前記第１の連結エレメント（１１２）は、前記第１の斜面（１１０）に沿って回転するローラを有し、
前記第２の連結エレメントは、前記第２の斜面に沿って滑動するか、又は前記第２の連結エレメントは、前記第２の斜面に沿って回転するローラを有し、
前記第１の輸送ローラ（３２ａ）の状態は、前記第１の調整エレメント（４８）の回転によって変更可能であり、
前記第２の輸送ローラ（３４ａ）の状態は、前記第２の調整エレメント（５０）の回転によって変更可能である
請求項６又は７に記載の手術台基部（１６）。
【請求項９】
少なくとも、前記第１のジャーナルガイド（５６）の第１のガイドピン（１７０ａ）は、前記第１のジャーナルガイド（５６）が前記第１の縦軸に関して回転可能に固定される方法で取り付けられるように、前記第１のガイドピン（１７０ａ）に対して相補的である前記手術台基部（１６）の第１の開口に受け入れられ、
少なくとも、前記第２のジャーナルガイド（５８）の第２のガイドピン（１７２ａ）は、前記第２のジャーナルガイド（５８）が前記第２の縦軸に関して回転可能に固定される方法で取り付けられるように、前記第２のガイドピン（１７２ａ）に対して相補的である前記手術台基部（１６）の第２の開口に受け入れられる
請求項６から８の何れか一項に記載の手術台基部（１６）。
【請求項１０】
前記第１の調整エレメント（４８）と前記第１のジャーナルガイド（５６）は、前記第１のジャーナル（１１６）の周囲に同軸で配置され、
前記第２の調整エレメント（５０）と前記第２のジャーナルガイド（５８）は、前記第２のジャーナルの周囲に同軸で配置される
請求項６から９の何れか一項に記載の手術台基部（１６）。
【請求項１１】
前記第１の調整ユニット（４０）は、第１の輸送ローラホルダ（１００）と第１のベアリング（１１４）とを有し、
前記第１のベアリング（１１４）は、前記第１の輸送ローラ（３２ａ）を有する前記第１の輸送ローラホルダ（１００）が垂直軸に関して回転可能に取り付けられるように、前記第１のジャーナルガイド（５６）と前記第１の輸送ローラホルダ（１００）との間に配置され、
前記第２の調整ユニット（４２）は、第２の輸送ローラホルダ（１０２）と第２のベアリングとを有し、
前記第２のベアリングは、前記第２の輸送ローラ（３４ａ）を有する前記第２の輸送ローラホルダ（１０２）が垂直軸に関して回転可能に取り付けられるように、前記第２のジャーナルガイド（５８）と前記第２の輸送ローラホルダ（１０２）との間に配置される
請求項６から１０の何れか一項に記載の手術台基部（１６）。
【請求項１２】
少なくとも前記第１の輸送ローラ（３２ａ）は、前記第１の調整ユニット（４０）によって保持されると共にガイドされ、第１の輸送ローラ群（３２）は、前記第１の輸送ローラ（３２ａ）と別の輸送ローラ（３２ｂ）とからなり、
少なくとも前記第２の輸送ローラ（３４ａ）は、前記第２の調整ユニット（４２）によって保持されると共にガイドされ、第２の輸送ローラ群（３４）は、前記第２の輸送ローラ（３４ａ）と別の輸送ローラ（３４ｂ）とからなる
請求項１から１１の何れか一項に記載の手術台基部（１６）。
【請求項１３】
別の第２の駆動機構（１４４）によって駆動可能である少なくとも１つの駆動ローラ（１４６）は、前記機械的接続エレメント（２４）によって駆動可能であるロアリングユニット（１４０）に割り当てられ、
前記駆動ローラ（１４６）は、前記ロアリングユニット（１４０）を介して回転不能状態から回転可能状態に、及び／又は回転可能状態から回転不能状態に切り替え可能である
請求項１から１２の何れか一項に記載の手術台基部（１６）。
【請求項１４】
前記第１の駆動ユニット（８０）は、第１のステップにおいて、前記輸送ローラ（３２ａ、３４ａ）の状態を引っ込められた状態から引き出された状態に変更し、第２のステップにおいて、前記輸送ローラ（３２ａ、３４ａ）の状態を引き出された状態から引っ込められた状態に変更する
請求項１３に記載の手術台基部（１６）。
【請求項１５】
前記ロアリングユニット（１４０）は、少なくとも１つのステップ（１２３）を有する段階的な制御プロフィール（１２２）を有し、前記ステップ（１２３）は、第１及び第２のステップ面（１２３ａ、１２３ｂ）を有し、前記制御プロフィール（１２２）は、前記ねじ切りされたロッド（１２０）に機械的にしっかりと接続され、前記制御プロフィール（１２２）は、相互に同時に移動可能であり、
作動エレメント（１２４）は、前記制御プロフィール（１２２）に連結され、
前記制御プロフィール（１２２）は、前記作動エレメント（１２４）が前記ステップ（１２３）に亘り滑動するように、前記ねじ切りされたロッド（１２０）が移動されるときに、前記作動エレメント（１２４）を通ってガイドされ、
前記作動エレメント（１２４）によって、前記制御プロフィール（１２２）の前記ステップ（１２３）に亘る運動に際して、前記駆動ローラ（１４６）が回転不能状態から回転可能状態に、又は回転可能状態から回転不能状態になる
請求項５を引用する１３又は１４に記載の手術台基部（１６）。
【請求項１６】
前記ロアリングユニット（１４０）は、床面に対抗するプレス力により前記駆動ローラ（１４６）を押し付けるばねを有する
請求項１５に記載の手術台基部（１６）。
【発明の詳細な説明】
【技術分野】
【０００１】
本発明は、手術台のための手術台基部に関する。
【背景技術】
【０００２】
患者支持面は、手術台の患者支持面上に配置された患者の手術前と手術中に、患者についての外科的介入を容易にする位置にもたらされる。その際に、患者支持面を広い角度の範囲の角度で水平軸に関して旋回することが必要である。更に、手術台の患者支持面の高さは、可能な限り広い範囲内で調整可能であるべきである。手術台は、理想的には手術台支柱の簡潔な構造を必要とする患者支持面の非常に小さい高さも可能とする。
【０００３】
３つの異なる種の手術台、即ち、静止手術台、可動手術台、及び移動手術台は、典型的には病院で使用される。静止手術台は、手術室の床面に永続的に固定された手術台支柱を備え、通常は手術台基部を備えず、エネルギは固定して設置されたケーブルを通じてそれらに供給される。可動手術台は、手術台支柱に接続されると共にローラを備える手術台基部と、手術台支柱から取り外したり手術台支柱に再び取り付けたりすることができる患者支持面と、を有する。
【０００４】
移動手術台の手術台基部は、それらが補助手段を伴わないで移動されると共に患者の輸送に適するような手術台を移動させるためのローラを含む。他方、患者についての外科的介入中は、手術台の確実な自立を保証する必要がある。簡素な手術台の場合には、これがいくつかの輸送ローラをロックすることによって達成されるが、高品質な手術台の場合には、手術台基部のシャーシが床面に留まるように低下される。このため、輸送ローラは、手術台基部に垂直方向に調節して統合され、シャーシと床面との接触を妨げると共に手術台を輸送ローラ上に自立させるように下方へ移動させることができる。
【０００５】
更に、移動手術台では、患者支持面は、通常は手術台支柱に固定して連結され、病院慣習で手術台支柱から分離されない。更に、電気牽引駆動装置は、好ましくはソフトスタートと安全ブレーキ機能を含み、電気牽引駆動装置によって移動手術台を移動させるために使用することができる。可動手術台と移動手術台と同様に静止手術台も、手術台支柱に配置された患者支持面の高さ変化のために電動機によって長さ調整可能である手術台支柱のような電動機によって調整することができるコンポーネントを利用し、手術台支柱頭部は、手術台支柱頭部及び／又は電動機によって調整することができる患者支持面のコンポーネントに接続された患者支持面のチルトとスイングの変化のために２つの直交軸に関して調整可能である。
【発明の概要】
【発明が解決しようとする課題】
【０００６】
４つの統合された輸送ローラを有し、輸送ローラのそれぞれの垂直調整のための共通制御バルブだけでなく、輸送ローラのそれぞれのための液圧シリンダも有する移動手術台基部が知られている。液圧シリンダの使用に起因する１つの欠点は、相対的に大きい垂直空間と相対的に高い費用である。しかしながら、アクセシビリティの理由のため、手術台基部のフラット構造は望ましい。手術台の動作が電動の牽引駆動装置によって支援されるならば、床面に牽引駆動装置を降下させたり床面から牽引駆動装置を上昇させたりするために更なる液圧シリンダと更なるコントロールバルブとが必要とされる。
【０００７】
本発明は、簡素な構造を与えられ、フラット構造を可能とし、費用効率の高い手術台基部を明示することを目的とする。この目的は、請求項１の特徴を有する手術台基部によって解決される。本発明の有利な発展は従属項に明示される。
【課題を解決するための手段】
【０００８】
創造性のある手術台基部は、少なくとも２つの引き出し可能である輸送ローラを有し、手術台は、輸送ローラが引っ込められた状態で手術台の少なくとも１つの支持エレメントに載せられ、手術台は、輸送ローラが引き出された状態で輸送ローラ上で移動可能である。手術台基部は、第１の機械的調整ユニットを有し、第１の機械的調整ユニットによって第１の輸送ローラの状態を少なくとも引っ込められた状態から引き出された状態に変更することができる。更に、それは、第２の機械的調整ユニットを有し、第２の機械的調整ユニットによって第２の輸送ローラの状態を少なくとも引っ込められた状態から引き出された状態に変更することができる。第１の調整ユニットと第２の調整ユニットは、駆動ユニットによって駆動可能である。駆動ユニットは、機械的接続手段を介して第１及び第２の調整ユニットに接続される。
【０００９】
輸送ローラが引っ込められた状態では、これらは手術台を運搬しないか、又は軽微な範囲にのみ運搬する。輸送ローラが引き出された状態では、輸送ローラと考えられる他のローラが手術台の重さを支える。特に、輸送ローラが手術台基部のシャーシ又はハウジングから下方に突出するときに輸送ローラが引き出される。それぞれの輸送ローラの代わりに、少なくとも２つの輸送ローラを備える輸送ローラ群をいちいち利用することができる。
【００１０】
輸送ローラが引き出された状態では、これらのローラによって手術台が支持されると共に輸送ローラ上で移動可能又は転がり移動可能となる。手術台基部は、輸送ローラの引き出しのための別々の調整ユニットを伴うか又は伴わない輸送ローラを更に有することができる。そのとき、引き出し可能でない輸送ローラは、手術台基部のシャーシ又はハウジングから永続的に突出する。
【００１１】
先行技術に対して創造性のある手術台基部の利点は、簡素な構造と費用効率の高い製品である。特に、輸送ローラを引き出すために、輸送ローラのそれぞれのための別々の駆動装置は必要ではなく、輸送ローラの全てのための１つだけの駆動装置が必要となる。先行技術に共通する複雑な液圧ユニットを省くこともできる。先行技術に対する更なる利点は、駆動ユニットのためのより柔軟な位置調整オプションであり、その結果として、引き出し可能である輸送ローラを有する既知の手術台基部と比較して、手術台基部のより低い構造高さを可能とする。
【００１２】
本発明の有利な発展では、第１及び第２の調整ユニットはチェーン又はベルトを介して駆動ユニットに接続される。この発展の利点は、簡素であり、費用効率が高く、丈夫な接続手段を使用することができるということにある。更に、駆動ユニットは、手術台基部の構造の状態のそれぞれに柔軟に適応することができる。特にベルトが歯付きベルトとして設計されているときに有利である。これは、チェーンの場合のように安全な歯付きベルトと調整ユニットとの連結を可能にし、歯付きベルトは、メンテナンスフリーであり、設置が容易である。
【００１３】
更に、特にチェーン又はベルトが駆動ユニットのエレメントにより閉じられた駆動列を形成するときに有利である。閉じられた駆動列によって始端又は終端のない駆動列が理解される。これは、特にリングのために当てはまる。このリング型の設計の利点は、接続手段が調整ユニットの力を時計回りと反時計回りの方向に加えることができるということにある。これは、接続手段が第１の方向に駆動されるときに輸送ローラが引っ込められた状態から引き出された状態に、及び接続手段が反対方向に駆動されるときに引き出された状態から引っ込められた状態に導くために使用することができる。
【００１４】
更に、第１の駆動ユニットがギヤ段を介してスクリュー式又はウォームギヤのねじ切りされたナットを駆動する電動機を備えるときに、ねじ切りされたナットの雌ねじがねじ切りされたロッドの雄ねじに固定されるときに、ねじ切りされたナットがねじ切りされたロッドの縦軸の方向に静止して取り付けられると共にねじ切りされたロッドの縦軸に関して回転可能であるときに、ねじ切りされたロッドの第１の端がチェーン又はベルトの第１の端で第１の端に接続されるときに、及びねじ切りされたロッドの第２の端がチェーン又はベルトの第２の端に接続されるときに有利である。その代わりに、第１の駆動ユニットは、第１のピストンロッドと第２のピストンロッドとを有する同期シリンダを備える。第１のピストンロッドの自由端はチェーン又はベルトの第１の端に接続され、第２のピストンロッドの自由端は、チェーン又はベルトの第２の端に接続される。
【００１５】
ここで、特に静止したねじ切りされたナットによってねじ切りされたナットが置き換え可能ではないことが理解される。回転固定されて取り付ける類似では、それは直進固定されて取り付ける場合もある。この発展によってチェーン又はベルトが直進運動を実行する可能性がある。ねじ切りされたナットの外側が歯車として設計されるときに、ねじ切りされたナットは、好ましくは電動機として設計される駆動ユニットの従動軸に連結することができる。好ましくは、ギヤ段はウォームギヤとして設計される。駆動ユニットによって間接的に駆動されるウォームギヤは、駆動ユニットの回転運動をチェーン、ベルト、又は他の接続手段の直進運動に変換する。この実施の形態で有利なことは、機械的接続手段の直進運動の正確な制御の小さな必要スペースと可能性である。
【００１６】
更に、機械的接続手段が第１の調整ユニットの第１の歯車又は歯車部分と第２の調整ユニットの第２の歯車又は歯車部分に連結されるときに特に有利であり、歯車に連結された接続手段の動作を伝えられて歯車の回転が行われ、歯車の回転によって、輸送ローラが引っ込められた状態から引き出された状態に、及び引き出された状態から引っ込められた状態に導かれる。調整ユニットは、好ましくは２０°と１８０°との間の範囲の角度で歯車又は歯車部分のそれぞれの回転が輸送ローラのそれぞれを引っ込められた状態から引き出された状態に導くように設計される。特に好ましい角度範囲は３０°から１２０°までである。
【００１７】
前述の設計の利点は、歯車又は歯車部分の選択によって機械的接続手段と調整ユニットとの間の確かな接続が保証されるということにある。これは、接続手段としてチェーン又は歯付きベルトを使用するときに特にそうである。更に、これらの循環接続手段は、１つの駆動ユニットのみによって容易に駆動することができる。歯車又は歯車部分の使用によって力を調整ユニットに容易に伝達することができる。
【００１８】
本発明の更に好ましい実施の形態では、第１の調整ユニットは、垂直な第１の縦軸を有する垂直に配置された第１のジャーナルと、第１のジャーナルガイドと第１のジャーナルとの間の垂直方向の相対的移動をガイドするための第１のジャーナルガイドと、を有する。第１の調整ユニットは、第１のジャーナルガイドの第１の連結エレメントが固定される第１の斜面を有する第１の調整エレメントを少なくとも有し、第１の斜面に沿った第１の連結エレメントの相対的移動が伝えられて第１の調整エレメントの直進調整動作が行われる。更に、第２の調整ユニットは、第２のジャーナルガイドと第２のジャーナルとの間の垂直方向の相対的移動をガイドするために、第２の縦軸を有する第２のジャーナルガイドを有し、第２の調整エレメントは、第２の斜面に沿った第２の連結エレメントの相対的移動が伝えられて第２の調整エレメントの直進調整動作が行われるように、第２のジャーナルガイドの第２の連結エレメントが固定される第２の斜面を少なくとも有する。
【００１９】
ここで、調整動作によって輸送ローラを引っ込めたり引き出したりするための動作が理解される。輸送ローラの引っ込めは状態を引き出された状態から引っ込められた状態に変更し、引き出しは状態を引っ込められた状態から引き出された状態に変更する。調整動作中にジャーナルのそれぞれの縦軸に関する調整エレメントの動作がいちいち水平に対して傾斜を有するこの縦軸の周囲に配置された斜面に沿って行われる。斜面は、例えば、雄ねじ又は雌ねじのねじ部として設計することができる。好ましくは、１８０°の角度で相互に対してオフセットされる２つの斜面が利用される。１２０°の角度で１つの連結エレメントがそれぞれ利用されることによって３つの斜面がオフセットされるときに特に有利である。この発展の利点は、斜面の傾斜が手術台の重さ力に適応可能であるということにある。１つの連結エレメントを有する３つの斜面がそれぞれ利用されるときに、輸送ローラが安定位置になおまた維持される。
【００２０】
更に有利な発展は、第１のジャーナルの上端は、第１のジャーナルが手術台基部のシャーシにしっかりと接続される接続領域を有し、第２のジャーナルの上端は、第２のジャーナルが手術台基部のシャーシにしっかりと接続される接続領域を有し、第１の調整ユニットの第１の調整エレメントは、第１の縦軸に関して回転可能に取り付けられ、第２の調整ユニットの第２の調整エレメントは、第２の縦軸に関して回転可能に取り付けられる。更に、第１の駆動ユニットによって駆動されたときにそれらがジャーナルのそれぞれの縦軸に関して回転されるように、第１の調整エレメントと第２の調整エレメントが機械的接続手段を介して第１の駆動ユニットに接続され、第１の輸送ローラの状態を変更するときに第１の斜面が第１の連結エレメントに留まり、第２の輸送ローラの状態を変更するときに第２の斜面が第２の連結エレメントに留まり、第１の連結エレメントが第１の斜面に沿って滑動するか又は第１の連結エレメントが第１の斜面に沿って回転するローラを有し、第２の連結エレメントが第２の斜面に沿って滑動するか又は第２の連結エレメントが第２の斜面に沿って回転するローラを有し、第１の輸送ローラの状態が第１の調整エレメントの回転によって変更可能であり、第２の輸送ローラの状態が第２の調整エレメントの回転によって変更可能である。
【００２１】
調整エレメントのそれぞれは、機械的接続手段との接続のための歯車又は歯車部分を有し、歯車又は歯車部分の歯が調整エレメントのそれぞれの外側に形成されるときに有利である。その結果として、機械的接続手段、好ましくはチェーン又は歯付きベルトが循環式の方法で調整エレメントの周囲に配置されるように設計することができる。これは、手術台基部の簡素な構造を可能とする。斜面は、傾斜を有する第１の断面と、特に少なくとも第１の断面の傾斜と異なる傾斜を有する第２の断面と、を有する。輸送ローラを引き出したり引っ込めたりする動作の経路は、傾斜の経路と駆動ユニットの駆動動作に依存して変更可能である。
【００２２】
好ましくは、輸送ローラが引き出された状態では、力が手術台の重さによって機械的接続手段に加えられない。その結果として、接続手段と駆動ユニットは、より簡素な設計を有することができる。特に引き出された状態で輸送ローラをロックするための手段を提供してはならない。
【００２３】
好ましくは、調整エレメントのそれぞれの斜面は、０°の傾斜を有する水準面に続いて０°よりも大きい傾斜を有する。傾斜の表示と角度の表示は、好ましくは時間毎の水平、又は０°の傾斜が直交面に対して傾斜しないように引っ込められた状態から引き出された状態への又は引き出された状態から引っ込められた状態への輸送ローラの直進調整動作の方向に対して直交する平面を指す。連結エレメントのそれぞれが水平な水準面に連結されるまで、特にこの水平面の真下に配置されるまで、駆動ユニットによって引き起こされた機械的接続手段の調整動作は、少なくとも輸送ローラの引き出し中に駆動ユニットによって実行される。従って、手術台の重さによって力が機械的接続手段に加えられず、手術台が安定位置に存在する。更なる利点は、第１の駆動ユニットによってこの位置に手術台を維持する必要がないということにある。
【００２４】
更に、少なくとも第１のジャーナルガイドの第１のガイドピンが第１のガイドピンに対して相補的である手術台基部の第１の開口に受け入れられ、少なくとも第２のジャーナルガイドの第２のガイドピンが第２のガイドピンに対して相補的である手術台基部の第２の開口に受け入れられ、第１のジャーナルガイドが第１の縦軸に関して回転可能に固定される方法で取り付けられ、第２のジャーナルガイドが第２の縦軸に関して回転可能に固定される方法で取り付けられるときに有利である。この有利な発展によって、調整エレメントのそれぞれの回転運動と共に連結エレメントのそれぞれが回転しないことが保証される。ガイドピンの使用によって手術台基部のシャーシがジャーナルガイドに対して移動することができることが保証される。
【００２５】
本発明の更に有利な発展では、第１の調整エレメントと第１のジャーナルガイドは、第１のジャーナルの周囲に同軸で配置され、第２の調整エレメントと第２のジャーナルガイドは、第２のジャーナルの周囲に同軸で配置される。その結果として、調整エレメントの非常に簡潔な構造が可能となる。
【００２６】
更に、第１の調整ユニットが第１の輸送ローラホルダと第１のベアリングを有し、第１の輸送ローラを有する第１の輸送ローラホルダが垂直軸に関して回転可能に取り付けられるように第１のベアリングが第１のジャーナルガイドと第１の輸送ローラホルダとの間に配置され、第２の調整ユニットが第２の輸送ローラホルダと第２のベアリングを有し、第２の輸送ローラを有する第２の輸送ローラホルダが垂直軸に関して回転可能に取り付けられるように第２のベアリングが第２のジャーナルガイドと第２の輸送ローラホルダとの間に配置されるときに有利である。垂直軸は、好ましくはジャーナルの第１又は第２の縦軸である。この配置によって輸送ローラホルダのそれぞれによって保持された輸送ローラは有利に回転し、手術台基部の動作の所望方向で必要とされるように垂直軸に関して指向することができる。
【００２７】
更に、少なくとも第１の輸送ローラが第１の調整ユニットによって個々に保持されると共にガイドされるときに、又は少なくとも２つの輸送ローラで構成された第１の輸送ローラ群が第１の調整ユニットによって保持されると共にガイドされるときに有利である。更に、少なくとも第２の輸送ローラが第２の調整ユニットによって保持されると共にガイドされるときに、又は少なくとも２つの輸送ローラで構成された第２の輸送ローラ群が第２の調整ユニットによって保持されると共にガイドされるときに有利である。その結果として、輸送ローラと手術台との間の簡素な接続が可能となる。
【００２８】
更に、少なくとも第２の駆動機構によって駆動可能である駆動ローラが機械的接続手段を介して第１の駆動ユニットによって駆動可能であるロアリングユニットに割り当てられ、ロアリングユニットを介して駆動ローラが回転オン状態から回転オフ状態に、及び／又は回転オフ状態から回転オン状態に旋回可能であるときに有利である。この発展の利点は、追加の駆動装置が駆動ローラを断続的に回転させるために必要ないということにある。
【００２９】
更に有利な発展では、駆動ユニットは、第１のステップで輸送ローラの状態を引っ込められた状態から引き出された状態に変更し、第２のステップで駆動ローラの状態を引き出された状態から引っ込められた状態に変更する。これは、動作の１つの方向、特に回転方向における第１の駆動ユニットの連続的な動作によって起こる。その結果として、引き出された状態にある輸送ローラを伴わないで駆動ローラがユーザによって回転オフにされることが有利に防がれる。
【００３０】
更に、ロアリングユニットは、少なくとも１つのステップを有するステップ制御プロフィールを有し、ステップが第１及び第２のステップ面を接続し、制御プロフィールが機械的にねじ切りされたロッドにしっかりと接続され、制御プロフィールがそれと同時に相互に移動可能であるときに有利である。ねじ切りされたロッドが移動されるときに制御プロフィールが作動エレメント通ってガイドされ、作動エレメントが第１のステップに亘って滑動するように、作動エレメントが制御プロフィールに連結される。ここで、作動エレメントによって、制御プロフィールの少なくとも１つのステップに亘って移動されたときに、駆動ローラの調整動作を回転オフ状態から回転オン状態に又は回転オン状態から回転オフ状態にする。
【００３１】
代わりに、作動エレメントは、ねじ切りされたロッドにしっかりと接続され、作動エレメントの制御プロフィールを通って動くことができる。好ましくは、作動エレメントは、輸送ローラが引き出された状態にあるときに駆動ローラを回転オフにするように制御プロフィールのステップ面を設計して配置され、接続手段の更なる動作は、もはや輸送ローラの如何なる引き出しをももたらさない。このスイッチング機構の単なる機械的な実現は、この作業のための電子スイッチングと制御エレメントの冗長に有利となる。
【００３２】
更に、ロアリングユニットが床面に対抗するプレス力で駆動ローラを押し付けるばねを有するときに有利である。従って、駆動ローラのモータ駆動を伝えられた床面が平坦でない場合に駆動ローラが手術台基部の一定の進行をも可能とすることが有利に保証される。
【００３３】
第１及び第２の調整ユニットに加えて、手術台基部がいちいち輸送ローラが割り当てられるか又は輸送ローラ群が割り当てられる第３及び第４の調整ユニットを更に備えるときに特に有利である。そのとき、１つの駆動ユニットのみによって機械的接続手段を介して１つの駆動装置によって４つの輸送ローラの全てを同時に引き出したり引っ込めたりすることができる。その結果として、手術台は、手術台の荷重分布とは無関係に、一律且つ同時に上昇され、及び／又は降下される。その結果として、手術台の患者支持面に横たわる患者のための手術台の快適な取り扱いが可能となる。
【００３４】
本発明のその他の特徴と利点は、同封された図面に関連する実施の形態に基づいて本発明についてより詳細に説明する以下の明細書から生じる。
【図面の簡単な説明】
【００３５】
【図１】本発明の第１の実施の形態による手術台基部を有する手術台の概略図を示す。
【図２】第１の駆動ユニットと４つの調整ユニットの駆動のためにシャーシに配置されたチェーンとを有する手術台基部のシャーシの詳細な斜視平面図を示す。
【図３】２つの輸送ローラが図示された１つの輸送ローラ群のそれぞれを調整するために第１の駆動ユニットと４つの調整ユニットとがチェーンにより連結されるシャーシのない図２による配置を示す。
【図４】図３による配置の細部を示す。
【図５】第１の調整ユニットの下方からの詳細斜視図を示す。
【図６】第１の輸送ローラ群の引っ込められた状態の第１の調整ユニットの詳細な斜視側面図を示す。
【図７】第１の輸送ローラ群が引っ込められた状態と引き出された状態との間の中間状態における第１の調整ユニットが図示される図６による斜視側面図を示す。
【図８】第１の輸送ローラ群が引き出された状態における第１の調整ユニットが図示される図６、７による斜視側面図を示す。
【図９】輸送ローラ群の引っ込められた状態における第１の調整ユニットの詳細な断面図を示す。
【図１０】第２の実施の形態による手術台基部に含まれる駆動エレメントの配置の細部の詳細な図を示す。
【図１１】第３の実施の形態による手術台基部の駆動エレメントの配置の細部の詳細な図を示す。
【発明を実施するための形態】
【００３６】
図１は、患者支持面１２と、手術台支柱１４と、手術台基部１６と、を有する本発明の第１の実施の形態による手術台１０の概略図を示す。手術台支柱１４は、支柱頭部１８と、基部本体２０と、を備える。
【００３７】
患者支持面１２は、それらの位置について相互に調整可能であるいくつかのコンポーネントを有し、コンポーネントは、図示しない患者の異なる位置調整を可能とする。本実施の形態では、患者支持面１２は、シートプレート１６０と、バックプレート１６２と、ヘッドプレート１６４と、２つの部分の左脚プレート１６６と、２つの部分の右脚プレート１６８と、を有する。
【００３８】
図２では、駆動ユニット８０と４つの調整ユニットの駆動のためにシャーシ２２に配置されたチェーン２４とを有する手術台基部１６のシャーシ２２の詳細な斜視平面図が図示される。同一の構成と同一の機能とを有するエレメントは、同一の引用符号により識別される。図１に図示された手術台基部１６のカバープレートは図２に図示されず、図２では、手術台支柱１４に手術台基部１６を接続するための接続フランジ３０だけでなく、シャーシ２２と手術台基部１６から輸送ローラを引っ込めたり引き出したりするための駆動エレメントとが可視である。
【００３９】
駆動ユニット８０は、電動機８１と、トランスミッション２６と、を備える。トランスミッション２６は、電動機８１の回転運動を直進運動に変換し、図３で可視ではないねじ切りされたロッドは、電動機８１の回転運動を伝えられたその縦軸に沿って移動される。ねじ切りされたロッドの２つの端は、輸送ローラを引き出したり引っ込めたりするために図２のシャーシ２２によって覆われた４つの調整ユニットの駆動のために円型の循環駆動列を形成するねじ切りされたロッドと共に繋がれた機械的接続手段としての役割を果たすチェーン２４の端に接続される。チェーン２４は、調整ユニットの１つの連結エレメントのそれぞれと連結される。更に、チェーン２４をガイドすると共にピンと張るための２つのテンション歯車２８が提供される。チェーン２４の駆動装置は、図４に関連して以下のより多くの細部に更に説明される。
【００４０】
図３では、図２による配置がシャーシ２２を伴わないで示され、２つの輸送ローラ３２ａ、３２ｂから３８ａ、３８ｂを有する輸送ローラ群３２から３８のそれぞれを調整するために、チェーン２４で連結された駆動ユニット８０と４つの調整ユニット４０から４６のそれぞれが図示される。
【００４１】
チェーン２４は、第１の調整ユニット４０と第２の調整ユニット４２と第３の調整ユニット４４と第４の調整ユニット４６のそれぞれの１つの連結エレメントに連結される。チェーン２４の直進運動に際して、４つの調整ユニット４０から４６の連結エレメントは、同じ向きに回転する。
【００４２】
調整ユニット４０から４６のそれぞれは、１７０ａから１７０ｃ、１７２ａから１７２ｃ、１７４ａから１７４ｃ、１７６ａから１７６ｃにより識別されると共に一部が手術台基部１６のシャーシ２２の相補的な開口にそれぞれ受け入れられる３つのガイドピンのそれぞれを有する。更に、調整ユニット４０から４６のそれぞれは、１つのジャーナルのねじ部６８から７４のそれぞれを介して手術台基部１６のシャーシ２２にしっかりと接続される。
【００４３】
同一に構成された調整ユニット４０から４６の構造と機能は、調整ユニット４０のための図６から９に関連して以下に詳細に典型的に記載される。
【００４４】
図４は、図３による配置の細部を示す。それは、駆動ユニット８０だけでなく、第１の調整ユニット４０と、第４の調整ユニット４６と、トランスミッション２６と、を備える。図３とは対照的に、とりわけ軸方向にトランスミッション２６を取り付ける役割を果たすトランスミッション２６のハウジングの半分が省略される。
【００４５】
第１の駆動ユニット８０は、第１の電動機８１と、電動機８１の出力軸に配置されたウォームギヤ８２と、シャーシ２２に受け入れられたベアリング８４と、を備える。ウォームギヤ８２は、雌ねじを有し、ねじ切りされたナットとしての役割を果たす歯車９０に連結される。ウォームギヤ８２と歯車９０は、ウォームギヤを形成する。それがねじ切りされたロッド１２０の縦軸の方向に固定又は静止されるように、歯車９０が１つの軸方向スラストベアリングによって横に制限される。第１の軸方向スラストベアリング９２は、トランスミッション２６の第１のハウジングエレメント９４に受け入れられ、第２の軸方向スラストベアリングは、図４に示されないトランスミッション２６の第２のハウジングエレメント９４に受け入れられ、歯車９０は、ねじ切りされたロッド１２０の縦軸に関して回転可能である。
【００４６】
歯車９０の雌ねじは、ねじ切りされたロッド１２０の雄ねじに連結される。ねじ切りされたロッド１２０の可視端で、チェーン２４の１つの端が接続エレメント１２１を介して取り付けられる。チェーン２４は、ねじ切りされたロッド１２０の第２の端とのチェーン２４の第２の端の更に図示しない接続によって閉じられた駆動列を形成する。チェーン２４は、第１の調整ユニット４０の外側で連結エレメントを介して第１の調整ユニット４０と連結される。
【００４７】
第１の調整ユニット４０は、第１の調整エレメント４８と、第１のジャーナルガイド５６と、図示しない第１のジャーナルの上端に形成された第１のねじ部６８と、を有する。第１のねじ部６８は、シャーシ２２とのねじ接続を確立する役割を果たす。第１の調整エレメント４８の外周にチェーン２４に連結される歯車部分を形成する連結エレメントが形成される。第１のジャーナルガイド５６は、３つの上方に突出するガイドピン１７０ａから１７０ｃと、３つのねじ６４ａから６４ｃと、を有する。ガイドピン１７０ａから１７０ｃは、輸送ローラが引っ込められた状態と輸送ローラが引き出された状態の両方で、このためにシャーシ２２に提供された開口に突出し、ガイドピン１７０ａから１７０ｃは、輸送ローラが引っ込められると共に引き出されるときに、シャーシ２２に関してそれらの縦軸に沿って移動される。その際、開口におけるガイドピン１７０ａから１７０ｃの動作はガイドされ、その結果として、第１のジャーナルガイド５６の回転は防がれる。ねじ６４ａから６４ｃによって、第１の調整エレメント４８は、シャーシ２２に回転可能に保持される。
【００４８】
第１の調整ユニット４０の下に、第１の輸送ローラ３２ａと第２の輸送ローラ３２ｂとを有する第１の輸送ローラ群３２が配置される。第１の輸送ローラ群３２は、この軸に関して第１の輸送ローラ３２ａと第２の輸送ローラ３２ｂの回転運動を可能とする軸１１８を有する。
【００４９】
第４の調整ユニット４６は、第４の調整エレメント５４と、第４のジャーナルガイド６２と、第４のジャーナルの上に形成された第４のねじ部７４と、を有する。第４のねじ部７４は、シャーシ２２とのねじ接続を確立する役割を果たす。第４の調整エレメント５４の外周にチェーン２４に連結される歯車部分を形成する連結エレメントが形成される。第４のジャーナルガイド６２は、３つの上方に突出するガイドピン１７６ａから１７６ｃと、３つのねじ６７ａから６７ｃと、を有する。ガイドピン１７６ａから１７６ｃは、輸送ローラが引っ込められた状態と輸送ローラが引き出された状態の両方で、このためにシャーシ２２に提供された開口に突出し、ガイドピン１７６ａから１７６ｃは、輸送ローラが引っ込められると共に引き出されるときに、シャーシ２２に関してそれらの縦軸に沿って移動される。その際、開口におけるガイドピン１７６ａから１７６ｃの動作はガイドされ、その結果として、第４のジャーナルガイド６２の回転が防がれる。ねじ６７ａから６７ｃによって第４の調整エレメント５４がシャーシ２２に回転可能に保持される。
【００５０】
第７の輸送ローラ３８ａと第８の輸送ローラ３８ｂとを有する第４の輸送ローラ群３８が第４の調整ユニット４６の下に配置される。第４の輸送ローラ群３８は、第７の輸送ローラ３８ａと第８の輸送ローラ３８ｂの回転運動を可能とする第４の軸を有する。
【００５１】
図５では、第１の輸送ローラ群３２と共に第１の調整ユニット４０の下方からの詳細な斜視図が図示される。外周において、第１の調整エレメント４８は、歯車部分１０８を有し、その重心軸が第１のジャーナル１１６の縦軸に対応し、この縦軸に関して回転可能である。更に、第１の調整ユニット４８は、第１の水準面１１０ａと第２の水準面１１０ｂに続いて斜面１１０を有する。第１の水準面１１０ａと第２の水準面１１０ｂは、水平に対して傾斜されない。
【００５２】
水平面では、第１の調整エレメント４８は、第１のジャーナルガイド５６の周囲に同軸で配置される。筒状ピンが水平に指向されると共に第１の調整エレメント４８の第１の水準面１１０ａに接触するように、第１のジャーナルガイド５６の第１の連結エレメント１１２が設計される。特に、第１の水準面１１０ａは、第１の連結エレメント１１２に留まる。この視点から第１の調整エレメント４８が時計回りに回転されるときに、引き続き斜面１１０と第２の水準面１１０ｂは、第１の連結エレメント１１２と接触する。
【００５３】
図５に示されるこの図では、ねじ６４ａの下側も可視である。既に言及されたように、ガイドピン１７０ａの上部領域は、単に図示しないガイドピン１７０ｂ、１７０ｃとして図示しないシャーシ２２にガイドされる。その結果として、第１のジャーナルガイド５６は、その垂直な縦軸に関して回転運動を実行することができない。第１の縦軸として参照される縦軸は、同時に第１のジャーナルガイド５６と第１のジャーナル１１６の縦軸である。
【００５４】
第１のジャーナルガイド５６の下側では、第１の輸送ローラホルダ１００は、第１のピボットベアリング１１４を介して回転軸に関して回転可能に取り付けられる。この回転軸は、第１の縦軸と一致する。輸送ローラホルダ１００に第１の輸送ローラ群３２が取り付けられる。輸送ローラ群３２の輸送ローラ３２ａ、３２ｂの両方は、共通軸１１８を有する。輸送ローラ群３２は、輸送ローラホルダ１００の回転軸に関して自由に回転することができる。
【００５５】
第１の調整エレメント４８は、第１のジャーナル１１６の第１の縦軸に関して回転可能に取り付けられる。第１の調整エレメント４８が図５に示される図から時計回りの方向に回転運動を実行するとき、第２の水準面１１０ｂが第１の連結エレメント１１２上に配置されるまで第１の水準面１１０ａとその後の第１の斜面１１０が連結エレメント１１２に亘り滑動する。これは、第１の輸送ローラ群３２の状態を引っ込められた状態から引き出された状態に変更するのに対応する。調整エレメント４８は、上方、即ち、第１の輸送ローラ群３２に対向する方向に移動される。その結果として、輸送ローラ群３２の輸送ローラ３２ａ、３２ｂが説明された動作によって引き出されて下側でシャーシを離れて動くときに、手術台基部１６のシャーシ２２は、手術台１０の更なるエレメントと共に上昇される。
【００５６】
図６は、第１の輸送ローラ群３２が引っ込められた状態の第１の調整ユニット４０の詳細な斜視側面図を示す。図５に示されるエレメントに加えて、ガイドピン１７０ａ、１７０ｂの上部領域と、ねじ６４ａ、６４ｂの上部領域を理解することができる。
【００５７】
図７は、第１の調整ユニット４０が第１の輸送ローラ群３２の引っ込められた状態と引き出された状態との間の中間状態に図示される図６による斜視側面図を示す。第１の調整エレメント４８は、時計回りに回転され、第１の斜面１１０を第１の連結エレメント１１２に留める上方に移動される。
【００５８】
第１の調整ユニット４０の第１の連結エレメント１１２に加えて、図７では連結エレメント１１３が更に可視である。第１の調整エレメント４８が回転されるときに、この連結エレメントは、第１の連結エレメント１１２に対する並行移動を実行する。更に、連結エレメント１１３に、第１の調整エレメント４８の第２の斜面が覆って留まる。第１の調整エレメント４８は、相互に等しい角距離で配置された全部で３つの斜面１１０を有し、第１の調整ユニット４０は、等しい角距離で配置された全部で３つの連結エレメント１１２、１１３を有する。
【００５９】
図８では、図６、７による第１の輸送ローラ群３２を有する第１の調整ユニット４０の斜視側面図が示され、第１の輸送ローラ群３２が引き出された状態における第１の調整ユニット４０が図示される。この状態は、図７に示される位置から時計回りの方向への第１の調整エレメント４８の連続した回転によって到達される。第１の連結エレメント１１２と更に連結エレメント１１３は、調整エレメント４８によってそこまで回転され、第２の水準面１１０ｂの真下に静止するために、第１の連結エレメント１１２を受ける斜面１１０に沿って滑動することによって上昇される。これは第１の輸送ローラ群３２が引き出された状態に対応する。特に、第１の調整エレメント４８は、更なる逆の回転運動を伴わないで再び降下することができない。従って、第１の調整エレメント４８によって上昇された手術台１０が安定位置に維持される。更に、連結エレメント１１２が水準面１１０ｂに沿って滑動し、その他の連結エレメントが第１の調整エレメント４８の更に図示しない水準面に沿って滑動するので、時計回りの方向の第１の調整エレメント４８の更なる回転は、第１の調整エレメント４８と手術台１０の更なる高さ調整をもたらさない。
【００６０】
図９は、輸送ローラ群３２が引っ込められた状態の第１の調整ユニット４０の詳細な断面図を示す。第１のジャーナル１１６は、第１のねじ部６８を介して手術台基部１６のシャーシ２２に接続可能である。第１のジャーナルガイド５６は、第１の輸送ローラホルダ１００の第１のピボットベアリング１１４に留まる。特に、第１のジャーナル１１６が第１のジャーナルガイド５６に対してどのように垂直に移動して配置されるかが理解される。
【００６１】
第１の調整エレメント４８は、第１のジャーナル１１６の第１の縦軸に関して回転可能に取り付けられ、第１の連結エレメント１１２とその他の連結エレメント１１３と図示しない第３の連結エレメントを静止する。
【００６２】
図１０では、第２の実施の形態による手術台基部に含まれる駆動エレメントの配置の細部の詳細な図が図４に示された第１の実施の形態に類似して示される。図４とは対照的に、この第２の実施の形態は更に駆動ローラ１４６と第２の駆動機構１４４とロアリングユニット１４０とを含んでいる。更に、制御プロフィール１２２は、ねじ切りされたロッド１２０にしっかりと接続される。この制御プロフィール１２２により、作動エレメント１２４が固定される。第１の端で、作動エレメント１２４は、回転の垂直軸に関して第１のピボットベアリング１２６に回転可能に取り付けられる。第１の端の反対の作動エレメント１２４の第２の端では、この作動エレメントが制御プロフィール１２２に対抗して留まる。ここで、作動エレメント１２４の第２の端は制御プロフィール１２２に対抗して押し付けられる。デフレクションロッド１３０が直進運動を実行して第１のピボットベアリング１２６に関する回転が伝達されるように、デフレクションロッド１３０が作動エレメント１２４に接続される。デフレクションロッド１３０に、バイアスをかけられた圧縮ばね１３２が取り付けられる。第３のピボットベアリング１５２を通じて、駆動ローラ１４６が取り付けられた駆動ローラホルダ１４２が真下に位置する面、即ち、手術台基部の真下の床面に押し付けられる。モータによって駆動ローラ１４６を駆動する第２の駆動機構１４４は、ドライバローラホルダ１４２に接続される。この実施の形態では、第２の駆動機構１４４は電動機として設計される。
【００６３】
制御プロフィールにおいては、第１のステップ面１２３ａと第２のステップ面１２３ｂとの間に傾斜ステップ１２３が形成される。第１の方向における制御プロフィール１２２の直進運動に際して、作動エレメント１２４は、ステップ１２３を介して第１のステップ面１２３ａから第２のステップ面１２３ｂに滑動する。その際に、デフレクションロッド１３０が移動され、駆動ローラ１４６と共にロアリングユニット１４０が回転される。その際に、駆動ローラ１４６が手術台基部の真下の床面に押し付けられる。
【００６４】
制御プロフィール１２２が第１の方向の反対の第２の方向に移動されるときに、駆動ローラ１４６と共にロアリングユニット１４０がもはや床面に対抗して押し付けられないように、デフレクションロッド１３０が反対方向に復元スプリング１４８によって移動される。その際に、駆動ローラ１４６と共にロアリングユニット１４０は、第３のピボットベアリング１５２を介して床面から遠ざかって回転される。復元スプリング１４８の力は、前に言及された圧縮ばね１３２によって加えることができるプレス力より小さい。第２の実施の形態による手術台基部の更なる機能と更なる構造は、第１の実施の形態の手術台基部１６に対応する。
【００６５】
図１１では、第３の実施の形態による手術台基部の駆動エレメントの配置の細部の詳細な図が示される。図４に示される第１の実施の形態の配置とは対照的に、第３の実施の形態では、第１の調整ユニット４０と第２の調整ユニット４２のみが提供される。第３の実施の形態の手術台基部の２つの更なる調整可能でない輸送ローラは図示されない。これらの更なる輸送ローラは、永続的に手術台基部から下方へ突出する。
【００６６】
この第３の実施の形態では、チェーン２４は、チェーン２４に連結される更なる調整ユニットを伴わないで第１の調整ユニット４０と第２の調整ユニット４２との周囲に直接にガイドされる。第３の実施の形態による手術台基部の更なる機能と更なる構造は、第１の実施の形態の手術台基部１６に対応する。
【符号の説明】
【００６７】
１０  手術台
１２  患者支持面
１４  手術台支柱
１６  手術台基部
１８  支柱頭部
２０  基部本体
２２  シャーシ
２４  チェーン
２６  トランスミッション
２８  テンション歯車
３０  接続フランジ
３２  第１の輸送ローラ群
３２ａ  第１の輸送ローラ
３２ｂ  第２の輸送ローラ
３４  第２の輸送ローラ群
３４ａ  第３の輸送ローラ
３４ｂ  第４の輸送ローラ
３６  第３の輸送ローラ群
３６ａ  第５の輸送ローラ
３６ｂ  第６の輸送ローラ
３８  第４の輸送ローラ群
３８ａ  第７の輸送ローラ
３８ｂ  第８の輸送ローラ
４０  第１の調整ユニット
４２  第２の調整ユニット
４４  第３の調整ユニット
４６  第４の調整ユニット
４８  第１の調整エレメント
５０  第２の調整エレメント
５２  第３の調整エレメント
５４  第４の調整エレメント
５６  第１のジャーナルガイド
５８  第２のジャーナルガイド
６０  第３のジャーナルガイド
６２  第４のジャーナルガイド
６４ａ  第１のねじ
６４ｂ  第２のねじ
６４ｃ  第３のねじ
６５ａ  第１のねじ
６５ｂ  第２のねじ
６５ｃ  第３のねじ
６６ａ  第１のねじ
６６ｂ  第２のねじ
６６ｃ  第３のねじ
６７ａ  第１のねじ
６７ｂ  第２のねじ
６７ｃ  第３のねじ
６８  第１のねじ部
７０  第２のねじ部
７２  第３のねじ部
７４  第４のねじ部
８０  第１の駆動ユニット
８１  電動機
８２  ウォームギヤ
８４  ベアリング
９０  雌ねじを有する歯車
９２  第１の軸方向スラストベアリング
９４  第１のハウジング素子
９６  チェーン
１００  第１の輸送ローラホルダ
１０２  第２の輸送ローラホルダ
１０４  第３の輸送ローラホルダ
１０６  第４の輸送ローラホルダ
１０８  第１の歯車部分
１１０  第１の斜面
１１０ａ  第１の水準面
１１０ｂ  第２の水準面
１１２  第１の連結エレメント
１１３  更なる連結エレメント
１１４  第１のピボットベアリング
１１６  第１のジャーナル
１１８  第１の軸
１２０  ねじ切りされたロッド
１２１  接続エレメント
１２２  制御プロフィール
１２３  ステップ
１２３ａ  第１のステップ面
１２３ｂ  第２のステップ面
１２４  作動エレメント
１２６  第１のピボットベアリング
１２８  第２のピボットベアリング
１３０  デフレクションロッド
１３２  圧縮ばね
１４０  ロアリングユニット
１４２  駆動ローラホルダ
１４４  第２の駆動機構
１４６  駆動ローラ
１４８  復元スプリング
１５２  第３のピボットベアリング
１６０  シートプレート
１６２  バックプレート
１６４  ヘッドプレート
１６６  ２つの部分の左脚プレート
１６８  ２つの部分の右脚プレート
１７０ａ  第１のガイドピン
１７０ｂ  第２のガイドピン
１７０ｃ  第３のガイドピン
１７２ａ  第１のガイドピン
１７２ｂ  第２のガイドピン
１７２ｃ  第３のガイドピン
１７４ａ  第１のガイドピン
１７４ｂ  第２のガイドピン
１７４ｃ  第３のガイドピン
１７６ａ  第１のガイドピン
１７６ｂ  第２のガイドピン
１７６ｃ  第３のガイドピン
【図１】
0006055517.tif 000002
【図２】
0006055517.tif 000003
【図３】
0006055517.tif 000004
【図４】
0006055517.tif 000005
【図５】
0006055517.tif 000006
【図６】
0006055517.tif 000007
【図７】
0006055517.tif 000008
【図８】
0006055517.tif 000009
【図９】
0006055517.tif 000010
【図１０】
0006055517.tif 000011
【図１１】
0006055517.tif 000012